(57)【要約】【課題】水素が溶解された液体を肌面に供給可能で、かつ機器が動作しているか否かをユーザが容易に判断することができる美容機器を提供する。【解決手段】実施形態の美容機器は、水素が溶解された液体が保持される液体貯留槽と、前記液体貯留槽内に保持された前記液体を加熱するヒーターと、前記ヒーターによる加熱によって気化した前記液体を放出する放出孔とを備える。【選択図】図１
2017029375.tif 000002
【特許請求の範囲】
【請求項１】
水素が溶解された液体が保持される液体貯留槽と、
前記液体貯留槽内に保持された前記液体を加熱するヒーターと、
前記ヒーターによる加熱によって気化した前記液体を放出する放出孔と
を具備することを特徴とする美容機器。
【請求項２】
前記ヒーターによって加熱される前の前記液体を貯留する第２の液体貯留槽と、
前記液体を前記第２の液体貯留槽から前記液体貯留槽に供給する供給管と、
前記液体貯留槽、前記第２の液体貯留槽または前記供給管のうちの少なくとも一つに配設された一対の電極と、
前記一対の電極に電力を供給する電力供給手段と
を具備することを特徴とする請求項１に記載の美容機器。
【請求項３】
前記一対の電極は、略同一平面上に配設されることを特徴とする請求項２に記載の美容機器。
【請求項４】
前記液体貯留槽、前記第２の液体貯留槽、前記ヒーターを収容する筐体をさらに具備し、前記第２の液体貯留槽は、前記筐体に対して着脱自在に取付けられることを特徴とする請求項２または３に記載の美容機器。
【請求項５】
前記液体が、水であることを特徴とする請求項１ないし４のいずれか一項に記載の美容機器。
【請求項６】
前記放出孔の近傍に設けられた送風口と、
前記送風口に向けて送風する送風手段と
をさらに具備することを特徴とする請求項１ないし５のいずれか一項に記載の美容機器。
【発明の詳細な説明】
【技術分野】
【０００１】
本発明の実施形態は、スチームを肌面に供給して美容処理を行うことが可能な美容機器に関する。
【背景技術】
【０００２】
ユーザの顔などに液体のミストを噴霧して肌に潤いを与える美容処理、または肌の細胞組織の活性を高める美容処理を行うことが可能な噴霧装置が知られている。また、近年、水に水素を溶解させた水素水や還元水などと呼ばれる液体を肌に供給することによって、肌にうるおいを与える装置や技術が注目されている。
上記したような噴霧装置では、液体が噴霧されているか否か視認しにくい場合があり、噴霧装置が動作しているか否かユーザがわかりにくいことがあった。
【先行技術文献】
【特許文献】
【０００３】
【特許文献１】実用新案登録第３１６１９９６号公報
【発明の概要】
【発明が解決しようとする課題】
【０００４】
本発明は、このような事情を考慮してなされたものであり、水素が溶解された液体を肌面に供給可能で、かつ機器が動作しているか否かをユーザが容易に判断することができる美容機器を提供することを目的とする。
【課題を解決するための手段】
【０００５】
実施形態の美容機器は、水素が溶解された液体が保持される液体貯留槽と、前記液体貯留槽内に保持された前記液体を加熱するヒーターと、前記ヒーターによる加熱によって気化した前記液体を放出する放出孔とを備える。
【図面の簡単な説明】
【０００６】
【図１】第１の実施形態に係る美容機器１の一部断面図。
【図２】給液タンク２０を示す概略図。
【図３】図２に示した一対の電極１２４ａ，１２４ｂ及び一対の電極１２６ａ，１２６ｂを上から見た図。
【図４】図３のＡ−Ａ断面を断面方向から見た図。
【図５】バルブユニット３０が取付けられた給液タンク２０を説明する概念図。
【図６】給液タンク２０内の液体Ｗが本体１０に供給される動作を説明する概念図。
【図７】制御基板１１５の機能を説明するブロック図。
【図８】第２の実施形態に係る美容機器２の一部断面図。
【図９】第３の実施形態に係る給液タンク２０の一部断面図。
【図１０】本体１０の変形例を説明する一部断面図。
【図１１】給液タンク２０ａを説明する概略図。
【発明を実施するための形態】
【０００７】
以下、図面を参照して、本発明の実施形態を詳細に説明する。
（第１の実施形態）
【０００８】
図１は、第１の実施形態に係る美容機器１の一部断面図である。
美容機器１は、図１に示すように、本体１０（筐体）、給液タンク２０（第２の液体貯留槽）及びバルブユニット３０を備える。
【０００９】
美容機器１では、バルブユニット３０が取付けられた給液タンク２０が本体１０に装着される。美容機器１は、給液タンク２０が保持する液体Ｗをスチーム化して放出することで、ユーザの肌（例えば、顏）をケアすることが可能なスチーマである。このような肌のケアは、エイジングケアまたはアンチエイジングと呼ばれることもある。
【００１０】
液体Ｗは、例えば水道水である。また、液体Ｗとして、機能水（登録商標）と呼ばれる液体を用いることもできる。機能水とは「人為的な処理によって再現性のある有用な機能を付与された水溶液の中で、処理と機能に関して科学的根拠が明らかにされたもの、及び明らかにされようとしているもの」と定義されている液体である。
【００１１】
機能水として、例えば、水に水素を溶解させた水素水、炭酸付ガスを溶解させた炭酸水が知られている。
この実施形態の美容機器１は、水道水を電気分解することによって、水に水素が溶解した水素水を生成することができる。
（本体１０について）
【００１２】
本体１０は、センサ類１０１、給液タンク保持部１０３、液体管路１０５（供給管）、閉鎖弁部１０６、ボイラタンク１０７（液体貯留槽）、スチーム管路１０９、ヒーター１１１、放電ピン１１３、制御基板１１５（電力供給手段）を備える。この他にも、本体１０は、それぞれ図示を省略した、美容機器１の動作をＯＮ・ＯＦＦする電源スイッチ、美容機器１の動作モードを設定または変更するための各種ボタン、ＬＥＤライト、美容機器１の動作状態を表示するための表示部、商用電源から電力の供給を受けるための電源ケーブルを備える。
【００１３】
本体１０は、例えば、難燃性のプラスチックから形成された箱体である。本体１０は、底面部１０ａ、上面部１０ｂ、側面部１０ｃを備える。
上面部１０ｂは、底面部１０ａの反対側に位置する。側面部１０ｃは、底面部１０ａと上面部１０ｂを接続する。側面部１０ｃの所定の箇所には、スチームが放出されるスチーム噴出口１０ｄ（放出孔）が開口している。スチーム噴出口１０ｄは、上面部１０ｂに設けられることもある。
【００１４】
センサ類１０１は、美容機器１が安全に動作するための各種センサやスイッチである。センサ類１０１は、それぞれの検知信号を制御基板１１５に送信する。
【００１５】
センサ類１０１は、例えば、ヒーター１１１の温度を検知するサーミスタなどの温度計測素子や温度ヒューズであったり、本体１０の転倒や傾きを検知する加速度センサ、ジャイロセンサ、転倒検知スイッチであったり、本体１０に給液タンク２０が正常に装着されたか否かを検知するホール素子及びマグネットであったり、美容機器１内に過電流が流れたことを検知して電流をカットする電流ヒューズであったりする。
【００１６】
ホール素子とマグネットは、両方を本体１０に配設してもよいし、給液タンク２０及び本体１０に片方ずつ配設してもよい。
【００１７】
給液タンク保持部１０３は、挿入口１０３ａ、底面部１０３ｂ、側壁１０３ｃ及び押上棒１０３ｄを備える。給液タンク保持部１０３は、上面部１０ｂから底面部１０ａに向かって設けられた孔である。給液タンク保持部１０３には、バルブユニット３０が取付けられた給液タンク２０が挿入される。
給液タンク保持部１０３は、挿入された給液タンク２０を固定する。固定にはマグネット式、バヨネット式、ラッチ式など種々の方法を適用できる。
【００１８】
挿入口１０３ａは、上面部１０ｂに設けられる。挿入口１０３ａから給液タンク２０が挿入される。
側壁１０３ｃは、挿入口１０３ａと底面部１０３ｂを接続する。側壁１０３ｃの所定の箇所には、給液タンク２０に電力を供給するための電極１０４ａ，１０４ｂが配設される。
【００１９】
押上棒１０３ｄは、底面部１０３ｂから挿入口１０３ａに向かって設けられる。押上棒１０３ｄは、給液タンク２０の中の液体Ｗを液体管路１０５に流入させるために設けられる。押上棒１０３ｄによる液体Ｗの流入方法については、バルブユニット３０の説明とともに図６を用いて後述する。
【００２０】
液体管路１０５は、給液タンク保持部１０３とボイラタンク１０７を接続する。液体管路１０５には、給液タンク２０に保持された液体Ｗが流れる。結果的に、給液タンク２０内の液体Ｗは、液体管路１０５を通ってボイラタンク１０７に供給される。
【００２１】
液体管路１０５の径や形状によってボイラタンク１０７への液体Ｗの一度に流入する量（スチーム化する前のボイラタンク１０７内での水位）を適宜調整できる。例えば、ボイラタンク１０７への流入量を少なく（スチーム化する前のボイラタンク１０７内での水位を低く）することで、液体Ｗを速やかにスチーム化することができる。「水位が低い」とは、ボイラタンク１０７中の液体Ｗの体積が、ボイラタンク１０７中の空気の体積よりも少ないことを意味する。
【００２２】
液体管路１０５は、給液タンク２０内の液体Ｗをボイラタンク１０７への流入を制御するポンプユニットを備えてもよい。
【００２３】
閉鎖弁部１０６は、弁体１０６ａ及び収容空間１０６ｂを備える。ここでは、一例として、閉鎖弁部１０６は、底面部１０３ｂの近傍に設けられている。閉鎖弁部１０６は、ボイラタンク１０７や液体タンク２０に設けてもよい。
【００２４】
弁体１０６ａは、液体管路１０５を閉鎖する。弁体１０６ａとして、フロート弁（ボールタップ）を用いて液体管路１０５を閉鎖する構成を用いてもよいが、ここでは、制御基板１１５によって開閉が制御される弁体１０６ａを用いている。
【００２５】
液体管路１０５を閉鎖しない場合、弁体１０６ａは、収容空間１０６ｂに収容される。
液体管路１０５を閉鎖する場合、弁体１０６ａは、収容空間１０６ｂから進出して液体管路１０５を塞ぐ。
【００２６】
弁体１０６ａによって給液タンク２０内の電気分解が行われる前の液体Ｗが、ボイラタンク１０７内の流入することを防止できる。
【００２７】
弁体１０６ａは、給液タンク２０内の液体Ｗの電気分解がある程度（数秒〜十数分）行われるまで、液体管路１０５を閉鎖する。
弁体１０６ａは、電気分解が行われた液体Ｗをボイラタンク１０７内の流入させるために、液体管路１０５の閉鎖を解除する。
【００２８】
ボイラタンク１０７は、例えば、金属などの熱伝導性の高い材料から形成された箱体である。ボイラタンク１０７は、底面部１０７ａ、上面部１０７ｂ、及びこれらを接続する側面部１０７ｃを備える。ボイラタンク１０７は、ヒーター１１１によって加熱される。この結果、液体管路１０５を介してボイラタンク１０７に流入した液体Ｗが沸騰してスチーム化する。ボイラタンク１０７と本体１０の間は、熱的に絶縁されることが望ましい。同様にヒーター１１１と本体１０の間は、熱的に絶縁されることが望ましい。
【００２９】
ボイラタンク１０７が、液体Ｗをスチーム化させるのは、給液タンク２０内である程度液体Ｗの電気分解が行われ、水素の溶解濃度が高められた後であることが望ましい。
例えば、電気分解が開始され、所定時間が経過した後に弁体１０６ａによる液体管路１０５の閉鎖が解除され、ボイラタンク１０７に電気分解後の液体Ｗが流入した後でヒーター１１１がＯＮとなり、液体Ｗがスチーム化されることが望ましい。
【００３０】
底面部１０７ａは、液体管路１０５と接続されている。底面部１０７ａの上面部１０７ｂとは逆方向側の面は、ヒーター１１１と接触している。
上面部１０７ｂは、底面部１０７ａと対向する。上面部１０７ｂは、スチーム管路１０９と接続されている。
【００３１】
スチーム管路１０９は、ボイラタンク１０７とスチーム噴出口１０ｄを接続する。スチーム管路１０９には、ボイラタンク１０７内で発生したスチームが流れる。この結果、ボイラタンク１０７内で発生したスチームが、スチーム管路１０９を介してスチーム噴出口１０ｄから噴出する。
【００３２】
ヒーター１１１は、例えば、Ｐｏｓｉｔｉｖｅ  Ｔｅｍｐｅｒａｔｕｒｅ  Ｃｏｅｆｆｉｃｉｅｎｔ（ＰＴＣ）ヒーターである。ヒーター１１１として、セラミックヒーター、ハロゲンヒーター、カーボンヒーター、ニクロム線ヒーターなどを適用してもよい。
ヒーター１１１は、交流電圧または直流電圧を印加されることによって発熱する。ヒーター１１１の発熱可能範囲は常温〜５００℃程度である。この実施の形態では、ヒーター１１１は、最高１５０℃前後で発熱するように設定されている。
【００３３】
この実施形態では、２枚のヒーター１１１が設けられている。この構成（発熱温度及び枚数）によって、ボイラタンク１０７の温度を速やかに上昇させることができる。したがって、ボイラタンク１０７内の液体Ｗが速やかに加熱される。結果として、液体Ｗがスチーム化するのにかかる時間を短縮すること、及びスチームの量を短時間で増大させることができる。
【００３４】
放電ピン１１３（高圧放電用の電極）は、スチーム管路１０９の所定の位置に設けられる。ここでは一例として、放電ピン１１３は、スチーム管路１０９に設けられている。
放電ピン１１３は、スチーム管路１０９を通るスチームを帯電させるために設けられる。スチームを帯電させることによって、スチームが白色化して見えることが知られている。
放電ピン１１３を備えることによって、ユーザは、スチーム噴出口１０ｄから噴出するスチームを視認できる。スチームが視認できることで、ユーザは、スチームを肌面に効率よく当てることができる。
（給液タンク２０について）
【００３５】
次に、図２〜図４を用いて給液タンク２０について説明する。
図２は、給液タンク２０を示す概略図である。図３は、図２に示した一対の電極１２４ａ，１２４ｂ及び一対の電極１２６ａ，１２６ｂを上から見た図である。図４は、図３のＡ−Ａ断面を断面方向から見た図である。
図２に示すように、給液タンク２０は、タンク本体１２０、電気接点部１２２ａ，１２２ｂ、一対の電極１２４ａ，１２４ｂ及び一対の電極１２６ａ，１２６ｂを備える。
給液タンク２０は、一対の電極１２４ａ，１２４ｂ及び一対の電極１２６ａ，１２６ｂによって液体Ｗを電気分解する。
【００３６】
タンク本体１２０は、底面部１２０ａ、上面部１２０ｂ、側面部１２０ｃ〜１２０ｆ及びバルブユニット取付部１２０ｇを有する。タンク本体１２０にはバルブユニット取付部１２０ｇを介してバルブユニット３０が取付けられる。
タンク本体１２０は、プラスチックを射出成形することにより所望の形状に形成できるが、この実施の形態では、一例としてタンク本体１２０は、略四角柱形状に形成されている。
【００３７】
タンク本体１２０は、インサート成形によって形成することが望ましい。インサート成形により、樹脂部分と金属部分とを一つの工程で一体的に形成することができる。例えば、タンク本体１２０を形成するときに、同時に電気接点部１２２ａ，１２２ｂ、一対の電極１２４ａ，１２４ｂ及び一対の電極１２６ａ，１２６ｂをタンク本体１２０に配設することができる。この結果、タンク本体１２０の防水性の低下を防止することができる。
【００３８】
底面部１２０ａの略中央部には、バルブユニット取付部１２０ｇと連通する開口１２０ｈが設けられる。タンク本体１２０の液体Ｗは、この開口１２０ｈからバルブユニット取付部１２０ｇ及びバルブユニット３０を通って液体管路１０５に流入する。
上面部１２０ｂは、底面部１２０ａと対向する。上面部１２０ｂには、液体Ｗを継ぎ足すための給液口及びこの給液口を封止するための蓋を設けてもよい。このことによって、給液タンク保持部１０３からタンク本体１２０を取り出さなくても液体Ｗを補給することができる。
【００３９】
側面部１２０ｃ〜１２０ｆは、底面部１２０ａ及び上面部１２０ｂを接続する。
側面部１２０ｄは、側面部１２０ｃに対して底面部１２０ａを挟んだ反対側に位置する。側面部１２０ｅは、側面部１２０ｆに対して底面部１２０ａを挟んだ反対側に位置する。側面部１２０ｅ、１２０ｆは、それぞれ側面部１２０ｃ、１２０ｆと隣接している。
【００４０】
バルブユニット取付部１２０ｇは、上面部１２０ｂの反対側に向かって底面部１２０ａから突出する略円筒状の管体である。バルブユニット取付部１２０ｇには液体Ｗが流れる。すなわち、給液タンク２０は、液体Ｗが下方の液体管路１０５に向けて重力作用を及ぼすように、バルブユニット取付部１２０ｇを下側に向けて給液タンク保持部１０３に設置される。
【００４１】
バルブユニット取付部１２０ｇは、バルブユニット３０に着脱自在に挿入される。この結果、タンク本体１２０にバルブユニット３０が取付けられる。この取付け方法は特に限定されず、ねじ山をバルブユニット取付部１２０ｇ及びバルブユニット３０に設けたり、マグネットを配設したりするなど種々の方法を適用できる。
【００４２】
電気接点部１２２ａは、タンク本体１２０の外部に露出するように側面部１２０ｄに設けられる。電気接点部１２２ｂは、タンク本体１２０の外部に露出するように側面部１２０ｃに設けられる。すなわち、電気接点部１２２ａは、電気接点部１２２ｂに対して底面部１２０ａを挟んだ反対側に配置される。電気接点部１２２ａ，１２２ｂは、図１に示した電極１０４ａ，１０４ｂとそれぞれ接触する。
【００４３】
電気接点部１２２ａは、タンク本体１２０内で電極１２４ａ，１２６ａとそれぞれ接続される。電気接点部１２２ｂは、タンク本体１２０内で電極１２４ｂ，１２６ｂとそれぞれ接続される。
【００４４】
一対の電極１２４ａ，１２４ｂ及び一対の電極１２６ａ，１２６ｂは、例えば、チタン製の棒に白金コーティングを施して形成される。一対の電極１２４ａ，１２４ｂ及び一対の電極１２６ａ，１２６ｂは、液体Ｗを電気分解する。一対の電極１２４ａ，１２４ｂ及び一対の電極１２６ａ，１２６ｂは、ユーザの指で触りにくい箇所に設けられることが望ましい。
【００４５】
図３及び図４に示すように一対の電極１２４ａ，１２４ｂ及び一対の電極１２６ａ，１２６ｂは、互いに並行する。そして、一対の電極１２４ａ，１２４ｂ及び一対の電極１２６ａ，１２６ｂは、底面部１２０ａと並行する。
【００４６】
一対の電極１２４ａ，１２４ｂは、一対の電極１２６ａ，１２６ｂに対して離間している。一対の電極１２４ａ，１２４ｂ間の距離Ｌ１は、０．５［ｍｍ］〜１．５［ｍｍ］であり、望ましくは、１［ｍｍ］である。電極１２４ｂ，１２６ｂは互いの距離Ｌ２が、距離Ｌ１よりも長くなるように配設されている。ここで、電極１２４ｂ，１２６ｂ間の距離Ｌ２は、２［ｍｍ］〜５０［ｍｍ］であり、望ましくは、１６［ｍｍ］である。一対の電極１２６ａ，１２６ｂ間の距離Ｌ３は、距離Ｌ１と対応する。
【００４７】
一対の電極１２４ａ，１２４ｂ及び一対の電極１２６ａ，１２６ｂの長手方向の長さは、１０［ｍｍ］〜５０［ｍｍ］であることが望ましく、このうち、液体Ｗに接触する部分の長さは１９［ｍｍ］程度であることが望ましい。
【００４８】
図４に示すように、一対の電極１２４ａ，１２４ｂ及び一対の電極１２６ａ，１２６ｂは、それぞれ略同一平面部上に配置される。すなわち、一対の電極１２４ａ，１２４ｂ及び一対の電極１２６ａ，１２６ｂは、図２に示した底面部１２０ａからの長さ（高さ）がそれぞれ略同一となるように配設されている。要するに一対の電極１２４ａ，１２４ｂ及び一対の電極１２６ａ，１２６ｂは、それぞれ水平かつ同じ高さに配設される。このことにより、液体Ｗの水位に応じて液体Ｗとの接触面積（通電面積）が減少してしまうことを防止することができる。
【００４９】
一対の電極１２４ａ，１２４ｂ及び一対の電極１２６ａ，１２６ｂのそれぞれの直径ｄは０．５［ｍｍ］〜１．５［ｍｍ］であり、望ましくは、１［ｍｍ］である。直径ｄをこの範囲とすることで、電気分解の能力とコストとのバランスをとることができる。
（電気分解時の極性について）
【００５０】
美容機器１では、電気接点部１２２ａ，１２２ｂに電力が供給された場合、電極１２４ｂ，１２６ｂは互いに同極となり、電極１２４ａ，１２６ａは互いに同極となる。
例えば、電気接点部１２２ｂが正極（アノード極）、電気接点部１２２ａが負極（カソード極）となるように電力の供給が行われた場合、電極１２４ｂ，１２６ｂは正極となり、電極１２４ａ，１２６ａは負極となる。
【００５１】
一対の電極１２４ａ，１２４ｂ及び一対の電極１２６ａ，１２６ｂは、電極１２４ｂ，１２６ｂの距離Ｌ２が距離Ｌ１よりも離れており、かつ電極１２４ｂ，１２６ｂは互いに同極となることから、電極１２４ｂ，１２６ｂ間には電気が流れにくい。
すなわち、液体Ｗの電気分解は一対の電極１２４ａ，１２４ｂ間、及び、一対の電極１２６ａ，１２６ｂ間で行われる。
（電気分解の具体例）
【００５２】
次に、一例として電極１２４ａ及び電極１２６ａを正極（アノード極）、電極１２４ｂ及び電極１２６ｂを負極（カソード極）としたときの電気分解について説明する。
【００５３】
カソード極である電極１２４ｂ及び電極１２６ｂ付近に水素イオン、及びこの水素イオンが電子を受け取ることで水素が発生する。そして、アノード極である電極１２４ａ及び電極１２６ａ付近には酸素がそれぞれ発生する。
【００５４】
電極１２４ｂ及び電極１２６ｂ側に発生した水素は液体Ｗに溶解する（水素水）。このように、電気分解によって得られる水素水は、還元水や活性水素水と呼ばれることもある。水素水は、人体の活性酸素を除去する効果や、細胞の酸化によって発生するシミ、ソバカス等を除いて肌を若返らせる所謂アンチエイジング、エイジングケアに効果があるといわれている。
（水素量について）
【００５５】
美容機器１では、下記の条件により、１０分間で最大約０．７［ｐｐｍ］の水素が発生する。
・一対の電極１２４ａ，１２４ｂ間の距離Ｌ１及び一対の電極１２６ａ，１２６ｂの互いの距離Ｌ３が、１［ｍｍ］
・一対の電極１２４ａ，１２４ｂ及び一対の電極１２６ａ，１２６ｂのそれぞれの直径ｄが１［ｍｍ］
・液体Ｗに接触する部分の長さが４０［ｍｍ］
・一対の電極１２４ａ，１２４ｂ及び一対の電極１２６ａ，１２６ｂにそれぞれ流れる電流が、１１０［ｍＡ］（合計２２０［ｍＡ］）
・一対の電極１２４ａ，１２４ｂ及び一対の電極１２６ａ，１２６ｂに印加する電圧が２４［Ｖ］
このとき、最大約０．５［ｐｐｍ］の塩素が発生する。
塩素は、安全上、水道水の場合で０．１［ｐｐｍ］以上含まれている必要がある（水道法の規定）。水道法上、塩素量の上限は特に規定されていないが、安全上１．０［ｐｐｍ］以下を目標値とすることがある。
（バルブユニット３０について）
【００５６】
次に、図２、図５及び図６を参照してバルブユニット３０及びこのバルブユニット３０が取付けられた給液タンク２０について説明する。図５は、バルブユニット３０が取付けられた給液タンク２０を説明する概念図である。図６は、給液タンク２０内の液体Ｗが本体１０に供給される動作を説明する概念図である。以下、必要に応じて図１も参照する。
【００５７】
図２に示すように、バルブユニット３０は、本体部１３０と、弁部１３２を備える。バルブユニット３０は、タンク本体１２０内の液体Ｗが不必要にこぼれてしまわないように設けられる蓋である。
【００５８】
本体部１３０は、底面部１３０ａ、上面部１３０ｂ、円筒部１３０ｃ、溝部１３０ｄ、貫通孔１３０ｅ、底面部１３０ａ及び上面部１３０ｂを接続する側面部１３０ｆを備える。
底面部１３０ａは、図１に示した給液タンク保持部１０３の底面部１０３ｂと接触する。底面部１３０ａには、液体管路１０５（図１参照）と対応する径の開口１３０ｇが設けられる。上面部１３０ｂは、底面部１３０ａの反対側に位置する。上面部１３０ｂには、円筒部１３０ｃ及び溝部１３０ｄが設けられる。
【００５９】
円筒部１３０ｃは、上面部１３０ｂの面方向に対して垂直に設けられる。
円筒部１３０ｃは、給液タンク２０の開口１２０ｈよりも小さい径を有している。円筒部１３０ｃは、バルブユニット３０が給液タンク２０に取付けられた際、開口１２０ｈからタンク本体１２０内に挿入される。
【００６０】
円筒部１３０ｃの高さ（上面部１３０ｂからの長さ）は、給液タンク２０の一対の電極１２４ａ，１２４ｂ及び一対の電極１２６ａ，１２６ｂの底面部１２０ａからの高さよりも低い（短い）。
【００６１】
したがって、円筒部１３０ｃと、一対の電極１２４ａ，１２４ｂ及び一対の電極１２６ａ，１２６ｂは接触しない。
【００６２】
溝部１３０ｄは、円筒部１３０ｃを囲うように設けられる。溝部１３０ｄは、上面部１３０ｂから底面部１３０ａに向かって設けられる。溝部１３０ｄには、給液タンク２０のバルブユニット取付部１２０ｇが挿入される。
【００６３】
貫通孔１３０ｅは、円筒部１３０ｃから底面部１３０ａを貫通する。貫通孔１３０ｅを介して給液タンク２０内の液体Ｗが、液体管路１０５に流入する。
図５に示すように、貫通孔１３０ｅの壁面部には、弁部１３２を支持する突起１３０ｈが設けられる。
【００６４】
弁部１３２は、弁体１３２ａ、押し上げ棒接触部１３２ｃ、柱部１３２ｂ及びバネ１３２ｄを備える。
弁体１３２ａは、例えばゴムや樹脂などで形成される。弁体１３２ａは、円筒部１３０ｃ（貫通孔１３０ｅ）を封止する。このことによって、開口１２０ｈを下に向けても給液タンク２０内の液体Ｗが、貫通孔１３０ｅから不必要に漏れてしまうことが防止される。
【００６５】
柱部１３２ｂは、突起１３０ｈに対して上下に摺動可能に挿入されている。柱部１３２ｂは第１の端部が弁体１３２ａに接続され、第１の端部の逆側の第２の端部は押し上げ棒接触部１３２ｃに接続される。
【００６６】
押し上げ棒接触部１３２ｃは、図６に示すように、給液タンク２０が給液タンク保持部１０３に挿入された際、給液タンク保持部１０３の押上棒１０３ｄと接触する。押し上げ棒接触部１３２ｃが押上棒１０３ｄによって押されることで、柱部１３２ｂが突起１３０ｈに対して摺動する。結果として弁体１３２ａが円筒部１３０ｃから離れて液体Ｗが貫通孔１３０ｅ内に入り込む。そして、液体Ｗは、液体管路１０５に流入する。
【００６７】
バネ１３２ｄは柱部１３２ｂの表面部にコイル状に巻かれて設けられる。バネ１３２ｄは基部が突起１３０ｈに固定される。
バネ１３２ｄは、給液タンク２０が給液タンク保持部１０３に挿入されていないとき、弁体１３２ａが円筒部１３０ｃと密着するように押し上げ棒接触部１３２ｃを押す（図５中の矢印Ａ１参照）。
このことにより、柱部１３２ｂを介して押し上げ棒接触部１３２ｃと接続されている弁体１３２ａの底面部が円筒部１３０ｃを封止する。
【００６８】
上記したように押し上げ棒接触部１３２ｃが押上棒１０３ｄによって押されたとき、バネ１３２ｄは、押し上げ棒接触部１３２ｃに押されて縮む（図６参照）。給液タンク２０を給液タンク保持部１０３から外した際、バネ１３２ｄの復元力によって、弁部１３２は、再び図５の状態に戻る。
（制御基板１１５について）
【００６９】
次に図７を参照して、制御基板１１５について説明する。図７は、制御基板１１５の機能を説明するブロック図である。
【００７０】
制御基板１１５は、制御部１１５ａ、メモリ部１１５ｂ、タイマー部１１５ｃ、安全制御部１１５ｄ、放電ピン制御部１１５ｅ、電極制御部１１５ｆ、ヒーター制御部１１５ｇ、電源回路部１１５ｈを備える。
【００７１】
これらの機能は、制御基板１１５に配設された電気回路及び検知回路によって実現される。電気回路及び検知回路は、Ｃｅｎｔｒａｌ  Ｐｒｏｃｅｓｓｉｎｇ  Ｕｎｉｔ（ＣＰＵ）やＲｅａｄ  Ｏｎｌｙ  Ｍｅｍｏｒｙ（ＲＯＭ）、Ｒａｎｄｏｍ  Ａｃｃｅｓｓ  Ｍｅｍｏｒｙ（ＲＡＭ）、電子素子（例えば、コンデンサ、コイル）から構成される電気回路及び検知回路によって実現される。
【００７２】
制御部１１５ａは、メモリ部１１５ｂ、タイマー部１１５ｃ、安全制御部１１５ｄ、放電ピン制御部１１５ｅ、電極制御部１１５ｆ、ヒーター制御部１１５ｇ、電源回路部１１５ｈを制御する。制御部１１５ａは、弁体１０６ａの開閉を制御する。
【００７３】
メモリ部１１５ｂはＲＡＭ及びＲＯＭを備える。メモリ部１１５ｂには、種々の閾値や、美容機器１の複数の動作モードに対応する情報が記憶されている。
【００７４】
「閾値」は、例えばヒーター１１１の温度が正常か否かを安全制御部１１５ｄが判定するためのものである。
「動作モード」は、スチームの噴出のＯＮ・ＯＦＦ時間（例えば、数秒〜数十秒間）、電気分解のＯＮ・ＯＦＦ時間、放電ピン１１３の放電のＯＮ・ＯＦＦ時間、これらがＯＮまたはＯＦＦとなるタイミングによってさまざまなバリエーションがある。また、ヒーター１１１の温度や、複数あるうちのいずれかのヒーター１１１のＯＮまたはＯＦＦ、一対の電極１２４ａ，１２４ｂ（一対の電極１２６ａ，１２６ｂ）の極性の反転制御及び弁体１０６ａの開閉動作も「動作モード」の要素である。
【００７５】
タイマー部１１５ｃは、タイマー回路を備える。タイマー部１１５ｃは、スチームの噴出、電気分解、放電ピン１１３の放電、のそれぞれのＯＮ・ＯＦＦ時間をそれぞれ計時する。タイマー部１１５ｃは、制御部１１５ａによる制御によって計時を開始し、設定された時間を計時すると、タイムアップしたことを制御部１１５ａに通知する。タイマー部１１５ｃは、タイムアップ通知後、制御部１１５ａによってリセットされる。このリセットは、タイマー部１１５ｃが自ら行ってもよい。
（タイマー部１１５ｃが、電気分解のＯＮ時間を計測する理由）
【００７６】
液体Ｗに含まれる不純物は、液体に導電性を付与して水の電気分解を容易にする。しかし、例えば塩化ナトリウムなどは電気分解により有害なガスやアルカリを生成する恐れがある。このような成分は液体中に含まないようにするか又は通常よりも低い濃度とするためにタイマー部１１５ｃは、電気分解のＯＮ時間を計測する。
【００７７】
安全制御部１１５ｄは、センサ類１０１、一対の電極１２４ａ，１２４ｂ及び一対の電極１２６ａ，１２６ｂと接続されている。安全制御部１１５ｄは、センサ類１０１からの検知信号に基づいて、放電ピン制御部１１５ｅ、電極制御部１１５ｆ、ヒーター制御部１１５ｇ、電源回路部１１５ｈの各部を制御する。
（制御例１）
【００７８】
安全制御部１１５ｄは、ヒーター１１１の温度を検知できる。安全制御部１１５ｄは、検知したヒーター１１１の温度が所定の温度を超えていた場合、その旨をヒーター制御部１１５ｇに通知する。結果としてヒーター１１１の発熱が停止する。
（制御例２）
【００７９】
安全制御部１１５ｄは、一対の電極１２４ａ，１２４ｂ（一対の電極１２６ａ，１２６ｂ）間に電流が流れるか否かを判別することができる。このことによって、安全制御部１１５ｄは、給液タンク２０内の液体Ｗの水位が一対の電極１２４ａ，１２４ｂ以下か否かを判別することができる。安全制御部１１５ｄは、液体Ｗの水位が一対の電極１２４ａ，１２４ｂ以下か否かを示す信号を電極制御部１１５ｆに通知する。結果として、一対の電極１２４ａ，１２４ｂ（一対の電極１２６ａ，１２６ｂ）への電力供給は行われない。
【００８０】
安全制御部１１５ｄは、本体１０に給液タンク２０が正常に装着されたか否かを判別することができる。本体１０に給液タンク２０が正常に装着されていなかった場合、一対の電極１２４ａ，１２４ｂ（一対の電極１２６ａ，１２６ｂ）への電力供給は行われない。
（その他の制御例）
【００８１】
例えば、湿度センサをスチーム管路１０９に設けることがある。この場合、安全制御部１１５ｄは、湿度センサの検知に基づいて、スチームが正常に生成されているかどうかを判別することができる。安全制御部１１５ｄは、スチームが正常に生成されているかどうか否かを示す信号をヒーター制御部１１５ｇに通知する。結果としてヒーター１１１の発熱が停止する（空焚き防止）。
【００８２】
放電ピン制御部１１５ｅは、タイマー部１１５ｃによる計時（放電ピン１１３の放電のＯＮ・ＯＦＦ時間の計時）や安全制御部１１５ｄの制御（センサ類１０１の転倒検知）に対応して放電ピン１１３に対して電力供給をＯＮ・ＯＦＦする。
【００８３】
電極制御部１１５ｆは、一対の電極１２４ａ，１２４ｂ及び一対の電極１２６ａ，１２６ｂに、電力を供給する。電極制御部１１５ｆは、タイマー部１１５ｃによる計時（電気分解のＯＮ・ＯＦＦ時間の計時）や上記した安全制御部１１５ｄの制御に対応して一対の電極１２４ａ，１２４ｂ（一対の電極１２６ａ，１２６ｂ）に対して電力供給をＯＮ・ＯＦＦする。
【００８４】
電極制御部１１５ｆは、タイマー部１１５ｃによる電気分解のＯＮ時間の計時に対応して、一対の電極１２４ａ，１２４ｂ（一対の電極１２６ａ，１２６ｂ）に流れる電流の向き（極性）を反転させる。例えば、電気分解を５分間行う動作モードの場合、電極制御部１１５ｆは、数秒〜十数秒ごと、または１分ごとに電極１２４ａ（電極１２６ａ）と電極１２４ｂ（１２６ｂ）の正負の極性を反転させる。
【００８５】
正負の極性を反転させることによって、電極１２４ａ，１２４ｂのうちの一方にだけ陽極酸化被膜層が形成されることを防止することができる。結果的に、美容機器１全体としての電気分解能力の低下を抑制することができる（長寿命化を図れる。）。一対の電極１２６ａ，１２６ｂについても同様である。
【００８６】
ヒーター制御部１１５ｇは、タイマー部１１５ｃによる計時（ヒーター１１１のＯＮ・ＯＦＦ時間の計時）や上記した安全制御部１１５ｄの制御に対応してヒーター１１１への電力の供給をＯＮ・ＯＦＦする。
【００８７】
電源回路部１１５ｈは、昇圧回路、降圧回路、ＡＣ−ＤＣ変換回路などの種々の電気回路を備える。電源回路部１１５ｈは、美容機器１が備える各部、各素子に供給される電力を生成する。電源回路部１１５ｈは、生成した電力を各部、各素子に供給する。
（効果１）
【００８８】
以上のように構成された本発明の美容機器１では、ボイラタンク１０７及びヒーター１１１を備えることによって、水素水をスチーム化して、水素が溶解したスチームをスチーム噴出口１０ｄから噴出することができる。このスチームによって、肌をケアすることができる。
美容機器１では、ボイラタンク１０７によって水素水を沸騰させてスチーム化するので、コポコポといった音がユーザに聞こえる。このため、ユーザは、美容機器１が動作しているか否かを容易に判断することができる。
（効果２）
【００８９】
美容機器１では、タンク本体１２０が光透過性を有するので、液体Ｗを電気分解した際に発生する気泡をユーザが視認できる。このことによって、ユーザは、美容機器１が動作しているか否かを容易に判断することができる。タンク本体１２０をＬＥＤライトによってライトアップすることで、視認性を向上させることもできる。
（効果３）
【００９０】
美容機器１では、一対の電極１２４ａ，１２４ｂ及び一対の電極１２６ａ，１２６ｂを備えることによって水道水から水素水を容易に生成できる。
（効果４）
【００９１】
美容機器１では、給液タンク２０が本体１０に着脱可能に装着される。例えば、給液タンク２０以外の給液タンクも装着できる。この給液タンクに機能水が充填されていた場合、電気分解を行う必要がない。電気分解を行うための電力を節約できる（省電力）。
同様に、電気分解後に給液タンク２０を本体１０から取り外すことで、生成した水素水を飲むこともできる。水素水を飲むことで、体内で発生した活性酸を除去でき、健康に良いといわれている。
このとき、バルブユニット３０によって、給液タンク２０から水素水がこぼれてしまうことを防止できる。
（効果５）
【００９２】
美容機器１では、一対の電極１２４ａ，１２４ｂと、一対の電極１２６ａ，１２６ｂは
電気的に並列に配設されている。このため、一対の電極１２４ａ，１２４ｂと、一対の電極１２６ａ，１２６ｂを直列に接続したときに比べて、２倍の電流が流れるので、電気分解を速やかに行うことができる。
（効果６）
【００９３】
美容機器１では、一対の電極１２４ａ，１２４ｂ及び一対の電極１２６ａ，１２６ｂを設けたことにより、水素の発生源が２ヵ所になる。したがって、電気分解を速やかに行うことができる。
（効果７）
【００９４】
美容機器１では、電極１２４ａ，１２６ａの第１の端部（基部）は、側面部１２０ｄ（図２参照）に挿入されている。この第１の端部は、側面部１２０ｄ内で、電気接点部１２２ａと接触している。電極１２４ａ，１２６ａの第２の端部（先端部）は、側面部１２０ｃに挿入される。
【００９５】
同様に電極１２４ｂ，１２６ｂの第１の端部（基部）は、側面部１２０ｃに挿入されている。この第１の端部は、側面部１２０ｃ内で、電気接点部１２２ｂと接触している。電極１２４ａ，１２６ａの第２の端部（先端部）は、側面部１２０ｄに挿入される。
【００９６】
このように、第１，第２の端部が、それぞれ側面部１２０ｄ，側面部１２０ｃに挿入されることによって、一対の電極１２４ａ，１２４ｂ及び一対の電極１２６ａ，１２６ｂは側面部１２０ｄ，１２０ｃによって、それぞれ両端が支持される。
この結果、一方の端部しか支持されない場合に比べて、一対の電極１２４ａ，１２４ｂ及び一対の電極１２６ａ，１２６ｂが曲がってしまったり、傾いてしまったりすることを防止することができる。つまり、水平姿勢が維持できる。この「曲がる」及び「傾く」ことの原因として、開口１２０ｈから流出する液体Ｗによる応力が考えられる。
（効果８）
【００９７】
美容機器１では、図３に示すように電極１２４ｂ，１２６ｂ間を距離Ｌ２分だけ離すことにより、一対の電極１２４ａ，１２４ｂ及び一対の電極１２６ａ，１２６ｂは、開口１２０ｈを避けるように（少なくともの開口１２０ｈの中心部と重ならないように）配置される。このことにより、開口１２０ｈから流出する液体Ｗによって一対の電極１２４ａ，１２４ｂ及び一対の電極１２６ａ，１２６ｂにかかる応力が軽減される。
（効果９）
【００９８】
美容機器１では、給液タンク２０内の液体Ｗは自重によってボイラタンク１０７まで供給される。ポンプなどを使って液体Ｗをボイラタンク１０７まで供給する場合に比べ、省電力化が図れる。
（効果１０）
【００９９】
美容機器１では、液体Ｗを短時間でスチーム化させること、及びスチームの量を短時間で増大させることができる。このことにより、ユーザが、機器が動作しているか否かを不安に思うことを防止することができる。スチーム量を増大させることで、ユーザがスチームを視認しやすくなる。
（第２の実施形態）
【０１００】
次に図８を用いて本発明の第２の実施形態に係る美容機器２について説明する。図８は、第２の実施形態に係る美容機器２の一部断面図である。以下の説明では、第１の実施形態と同一部分については、同一符号を付して重複する説明は省略する。
【０１０１】
図８に示すように美容機器２は、送風装置（ブロア）２００を備える。送風装置２００は、マイクロポンプ２００ａ及び送風管２００ｂを備える。
マイクロポンプ２００ａは、例えば電磁式のエアポンプである。マイクロポンプ２００ａは、制御部１１５ａ（図７参照）によって電力を供給される。マイクロポンプ２００ａは、本体１０内の空気または、外気を取り込む。マイクロポンプ２００ａは、取り込んだ空気を圧縮して、送風管２００ｂに放出する。なお、マイクロポンプ２００ａは、空気の圧縮を行わずに、そのまま放出してもよい（送風）。
【０１０２】
送風管２００ｂは、側面部１０ｃに開口（送風口）を有する管体である。送風管２００ｂによってマイクロポンプ２００ａが放出した空気が、美容機器２の外部に排出される。
【０１０３】
以上のように構成された美容機器２では、例えば、スチームの噴出が停止した後に、送風管２００ｂから空気が排出される。ユーザは、この排出された空気によって、スチームで暖められた肌を冷却することができる。
（第３の実施形態）
【０１０４】
次に図９を用いて第３の実施形態に係る美容機器３を説明する。図９は、第３の実施形態に係る給液タンク２０の一部断面図である。以下の説明では、第１実施形態と同一部分については、同一符号を付して重複する説明は省略する。
【０１０５】
図９に示すように、美容機器３は、給液タンク２０に配設された一対の電極３２４ａ，３２４ｂ及び一対の電極３２６ａ，３２６ｂを備える。
【０１０６】
一対の電極３２４ａ，３２４ｂ及び一対の電極３２６ａ，３２６ｂは、第１の実施形態の一対の電極１２４ａ，１２４ｂ及び一対の電極１２６ａ，１２６ｂとそれぞれ対応する。
【０１０７】
第１の実施形態の給液タンク２０では、図２に示すように、タンク本体１２０の側面部１２０ｃ及び１２０ｄに電気接点部１２２ｂ及び１２２ａがそれぞれ配設されていた。美容機器３では、電気接点部１２２ｂ及び１２２ａを備えず、一対の電極３２４ａ，３２４ｂ及び一対の電極３２６ａ，３２６ｂに電気接点部１２２ｂ及び１２２ａの機能を備えさせている。
【０１０８】
一対の電極３２４ａ，３２４ｂ及び一対の電極３２６ａ，３２６ｂは、第１の端部３２７が側面部１２０ｃにそれぞれ挿入されている。一対の電極３２４ａ，３２４ｂ及び一対の電極３２６ａ，３２６ｂは、第１の端部３２７の反対側の第２の端部３２８がそれぞれ側面部１２０ｄに挿入されている。
【０１０９】
ここで、第２の端部３２８側は、側面部１２０ｄを貫通して、タンク本体１２０の外部に露出している。そして、第２の端部３２８側は、側面部１２０ｄを貫通した部分から先が側面部１２０ｄに沿って略直角方向に屈折している。この部位が電気接点部Ｐとして機能する。
【０１１０】
さらに、第２の端部３２８側は、略直角方向に屈折した先で、もう一度略直角方向に屈折して、側面部１２０ｄに外側から挿入されている。
以上のように一対の電極３２４ａ，３２４ｂ及び一対の電極３２６ａ，３２６ｂは、第２の端部３２８が複数回屈折している。
【０１１１】
このように形成された一対の電極３２４ａ，３２４ｂ及び一対の電極３２６ａ，３２６ｂによれば、屈折部を電気接点部Ｐとすることから、部品（ここでは、図２中の電気接点部１２２ｂ及び１２２ａ）を削減できる。
【０１１２】
一対の電極３２４ａ，３２４ｂ及び一対の電極３２６ａ，３２６ｂによれば、屈折することにより、側面部１２０ｄと、一対の電極３２４ａ，３２４ｂ及び一対の電極３２６ａ，３２６ｂとの接触面積が増えるので、一対の電極３２４ａ，３２４ｂ及び一対の電極３２６ａ，３２６ｂが側面部１２０ｄに対してより強力に固定される。
【０１１３】
一対の電極３２４ａ，３２４ｂ及び一対の電極３２６ａ，３２６ｂによれば、電気接点部Ｐが、側面部１２０ｄにのみ配置されるので、図１に示した本体１０の電極１０４ａ，１０４ｂの配設にかかる設計が容易になる。
（その他の実施形態）
【０１１４】
以上、第１〜第３の実施形態を説明したが、本発明は、上記実施形態に限定されるものではなく、実施段階ではその要旨を逸脱しない範囲で構成要素をさらに変形して具現化できる。また、上記実施形態及び変形例に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
（変形例１）
【０１１５】
図１に示した側面部１０ｃを光透過性のあるプラスチックで形成することができる。この場合、給液タンク２０の視認性が向上するので、ユーザは、電気分解による気泡の発生を視認しやすくなる。
同様の理由により、図１０に示すように、本体１０を側面部１０ｃの一部を切り欠きした形状に形成してもよい。図１０は、本体１０の変形例を説明する一部断面図である。この場合、本体１０に装着された給液タンク２０が外部に露出する。
（変形例２）
【０１１６】
一対の電極１２４ａ，１２４ｂ及び一対の電極１２６ａ，１２６ｂ（一対の電極３２４ａ，３２４ｂ及び一対の電極３２６ａ，３２６ｂ）を液体管路１０５やボイラタンク１０７に配設してもよい。
（変形例３）
【０１１７】
一対の電極１２４ａ，１２４ｂ及び一対の電極１２６ａ，１２６ｂ（一対の電極３２４ａ，３２４ｂ及び一対の電極３２６ａ，３２６ｂ）に対してそれぞれ独立して電力を供給するようにしてもよい。
すなわち、一対の電極１２４ａ，１２４ｂへ電力を供給しているとき、一対の電極１２６ａ，１２６ｂには電力を供給しないように構成することもできる。この結果、発生する水素の量を調整することができる。
（変形例４）
【０１１８】
弁部１３２を電磁弁としてもよい。この場合、ある程度電気分解が行われてから、弁が開く構成とすることが望ましい。
（変形例５）
【０１１９】
図１１に示すように給液タンク２０と取り替え可能な給液タンク２０ａを本体１０に装着してもよい。図１１は、給液タンク２０ａを説明する概略図である。
液体タンク２０ａは、電気分解された液体Ｗを飲むためのタンクである。したがって、給液タンク２０ａ内の液体Ｗは、ボイラタンク１０７には供給されない。
【０１２０】
液体タンク２０ａは、給液タンク２０と同様に給液タンク保持部１０３に挿入される。そして、液体タンク２０ａに電力が供給されることによって、給液タンク２０ａが保持する液体Ｗが電気分解される。
【０１２１】
液体タンク２０ａは、給液口２１ａを備える。ユーザは、給液口２１ａから水道水を継ぎ足したり、液体Ｗを飲むことができる。給液口２１ａには、キャップ３０ａが着脱自在に取付けられる。
【０１２２】
液体タンク２０ａでは、一対の電極１２４ａ，１２４ｂ及び一対の電極１２６ａ，１２６ｂは、給液口２１ａとは反対側に配置される。なお、図１１では、電極１２４ａのみを図示している。液体タンク２０ａは、図９に示した一対の電極３２４ａ，３２４ｂ及び一対の電極３２６ａ，３２６ｂを備えることもできる。
【符号の説明】
【０１２３】
１，２，３…美容機器、１０…本体、２０…給液タンク、１０１…センサ類、１０３…給液タンク保持部、１０５…液体管路、１０７…ボイラタンク、１０９…スチーム管路、１１１…ヒーター、１１３…放電ピン、１１５…制御基板、１２０…タンク本体、１３０…本体部、１３２…弁部、２００…送風装置、３２７，３２８…端部。
【図１】
2017029375.tif 000003
【図２】
2017029375.tif 000004
【図３】
2017029375.tif 000005
【図４】
2017029375.tif 000006
【図５】
2017029375.tif 000007
【図６】
2017029375.tif 000008
【図７】
2017029375.tif 000009
【図８】
2017029375.tif 000010
【図９】
2017029375.tif 000011
【図１０】
2017029375.tif 000012
【図１１】
2017029375.tif 000013